(57)【要約】【課題】本発明は、片刃や両刃の手引き鋸の鋸身のサイズや形状に対して汎用性が大きく、また製作コストを安価にできる鋸鞘の提供を課題とする。【解決手段】鋸身を収納するための内鞘体１０と、該内鞘体１０の外側を覆う外鞘体２０と、鋸鞘の基端部を構成して鋸身を挿入させる挿入口構成体３０と、鋸鞘の先端部を構成して止蓋となる止蓋体４０とを有する鋸鞘１であって、前記内鞘体１０はその断面形状が長手方向に一定なプラスチック成形体とし、前記外鞘体２０は金属製とすると共に長手方向に一定の断面形状をもって前記内鞘体１０上に被嵌する構成とし、前記内鞘体１０を前記外鞘体２０の内孔内に挿嵌した状態で、前記挿入口構成体３０と止蓋体４０とを、前記外鞘体２０に対してその両側からそれぞれ嵌合すると共に前記外鞘体２０の内孔内の前記内鞘体１０に結合することで全体を一体的に構成している。【選択図】      図１
2008114442.tif 000002
【特許請求の範囲】
【請求項１】
鋸身を収納するための内鞘体と、該内鞘体の外側を覆う外鞘体と、鋸鞘の基端部を構成して鋸身を挿入させる挿入口構成体と、鋸鞘の先端部を構成して止蓋となる止蓋体とを有する鋸鞘であって、前記内鞘体はその断面形状が長手方向に一定なプラスチック成形体とし、前記外鞘体は金属製とすると共に長手方向に一定の断面形状をもって前記内鞘体上に被嵌する構成とし、前記内鞘体を前記外鞘体の内孔内に挿嵌した状態で、前記挿入口構成体と止蓋体とを、前記外鞘体に対してその両側からそれぞれ嵌合すると共に前記外鞘体の内孔内の前記内鞘体に結合することで全体を一体的に構成してあることを特徴とする鋸鞘。
【請求項２】
内鞘体は、その外殻の長手方向に複数本のリブを形成しており、該リブの基端面と先端面とに前記挿入口構成体と止蓋体とをそれぞれ固定するための結合用孔を形成してあることを特徴とする請求項１に記載の鋸鞘。
【請求項３】
外鞘体は、その外殻に前記内鞘体のリブに対応する複数本のリブを形成することで、前記内鞘体を横ズレなく挿嵌できる形状としてあることを特徴とする請求項１又２に記載の鋸鞘。
【請求項４】
挿入口構成体は、その基端側を鋸身の挿入口部とすると共に、その先端側を前記外鞘体との嵌合部とし、該嵌合部と前記挿入口部との間に段差壁を形成し、該段差壁によって前記外鞘体の基端面と当接して位置決めされることを特徴とする請求項１〜３何れかに記載の鋸鞘。
【請求項５】
挿入口構成体の挿入口部には、挿入口と、その一側に鋸身を前記挿入口に案内するガイド部とを形成してあることを特徴とする請求項４に記載の鋸鞘。
【請求項６】
挿入口部の一部を肉厚部に形成し、該肉厚部に取付紐を通すための複数の紐挿通孔を形成してあることを特徴とする請求項４又は５に記載の鋸鞘。
【請求項７】
挿入口構成体の嵌合部には、前記内鞘体のリブに対応して複数本のリブを形成し、該リブには前記内鞘体のリブの結合用孔に対応して、挿入口構成体を貫通する複数の結合用孔を形成してあることを特徴とする請求項４〜６の何れかに記載の鋸鞘。
【請求項８】
鋸の代わりにナイフや鉈等の刃物の収納に用いることを特徴とする請求項１〜７の何れかに記載の鋸鞘。
【発明の詳細な説明】
【技術分野】
【０００１】
本発明は鋸鞘に関する。
【背景技術】
【０００２】
従来、手引き鋸の鋸身を収納する鋸鞘は、それぞれの鋸身の形状に合ったプラスチック製等の一体成型品として作られている。しかし、それらの鋸鞘は対応する１種類の鋸にのみ使用できるもので、形やサイズの違いがあると、うまく収納できない問題があった。またプラスチック製の一体成型品の鋸鞘の場合には、製作コストに大きな費用を要する問題があった。
一方、特開平７−２１３１７１号公報には、剪定鋸が収納でき、鞘が上下に昇降できる剪定鋸鞘の構造が開示されている。また実用新案登録第３０３４６２５号公報には、替え刃の取替えが随時できるように収納できる替え刃収納可能な鋸鞘が提供されている。
【特許文献１】特開平７−２１３１７１号公報
【特許文献２】実用新案登録第３０３４６２５号公報
【発明の開示】
【発明が解決しようとする課題】
【０００３】
上記特許文献１に示す構造は、鞘が上下に昇降でき、鞘を腰に装着した時の鋸の定位置を決められるものであるが、鋸のサイズには対応できない等、汎用性に欠ける問題があった。また特許文献２に示す鋸鞘は、替え刃の取替えが随時できるように替え刃の収納が可能な鋸鞘であるが、通常の鋸やサイズに対応できない問題があった。
【０００４】
そこで本発明は上記従来の問題点を解決し、片刃や両刃の手引き鋸の鋸身のサイズや形状に対して汎用性が大きく、また製作コストを安価にできる鋸鞘の提供を課題とする。
【課題を解決するための手段】
【０００５】
上記課題を達成するため本発明の鋸鞘は、鋸身を収納するための内鞘体と、該内鞘体の外側を覆う外鞘体と、鋸鞘の基端部を構成して鋸身を挿入させる挿入口構成体と、鋸鞘の先端部を構成して止蓋となる止蓋体とを有する鋸鞘であって、前記内鞘体はその断面形状が長手方向に一定なプラスチック成形体とし、前記外鞘体は金属製とすると共に長手方向に一定の断面形状をもって前記内鞘体上に被嵌する構成とし、前記内鞘体を前記外鞘体の内孔内に挿嵌した状態で、前記挿入口構成体と止蓋体とを、前記外鞘体に対してその両側からそれぞれ嵌合すると共に前記外鞘体の内孔内の前記内鞘体に結合することで全体を一体的に構成してあることを第１の特徴としている。
また本発明の鋸鞘は、上記第１の特徴に加えて、内鞘体は、その外殻の長手方向に複数本のリブを形成しており、該リブの基端面と先端面とに前記挿入口構成体と止蓋体とをそれぞれ固定するための結合用孔を形成してあることを第２の特徴としている。
また本発明の鋸鞘は、上記第１又は第２の特徴に加えて、外鞘体は、その外殻に前記内鞘体のリブに対応する複数本のリブを形成することで、前記内鞘体を横ズレなく挿嵌できる形状としてあることを第３の特徴としている。
また本発明の鋸鞘は、上記第１〜第３の何れかの特徴に加えて、挿入口構成体は、その基端側を鋸身の挿入口部とすると共に、その先端側を前記外鞘体との嵌合部とし、該嵌合部と前記挿入口部との間に段差壁を形成し、該段差壁によって前記外鞘体の基端面と当接して位置決めされることを第４の特徴としている。
また本発明の鋸鞘は、上記第４の特徴に加えて、挿入口構成体の挿入口部には、挿入口と、その一側に鋸身を前記挿入口に案内するガイド部とを形成してあることを第５の特徴としている。
また本発明の鋸鞘は、上記第４又は第５の特徴に加えて、挿入口部の一部を肉厚部に形成し、該肉厚部に取付紐を通すための複数の紐挿通孔を形成してあることを第６の特徴としている。
また本発明の鋸鞘は、上記第４〜第６の何れかの特徴に加えて、挿入口構成体の嵌合部には、前記内鞘体のリブに対応して複数本のリブを形成し、該リブには前記内鞘体のリブの結合用孔に対応して、挿入口構成体を貫通する複数の結合用孔を形成してあることを第７の特徴としている。
また、本発明の鋸鞘は、上記第１〜第７の何れか特徴に加えて、鋸の代わりにナイフや鉈等の刃物の収納に用いることを第８の特徴としている。
【発明の効果】
【０００６】
請求項１に記載の鋸鞘によれば、鋸身を収納するための内鞘体と、該内鞘体の外側を覆う外鞘体と、鋸鞘の基端部を構成して鋸身を挿入させる挿入口構成体と、鋸鞘の先端部を構成して止蓋となる止蓋体とを有する鋸鞘であって、前記内鞘体はその断面形状が長手方向に一定なプラスチック成形体とし、前記外鞘体は金属製とすると共に長手方向に一定の断面形状をもって前記内鞘体上に被嵌される構成とし、前記内鞘体を前記外鞘体の内孔内に挿嵌した状態で、前記挿入口構成体と止蓋体とを、前記外鞘体に対してその両側からそれぞれ嵌合すると共に前記外鞘体の内孔内の前記内鞘体に結合することで全体を一体的に構成しているので、
プラスチック成形の内鞘体により、鋸刃を刃毀れなく受け入れることができる。そして金属製の外鞘体により、内鞘体を熱や水などから防ぐと共に、強度を保持することができる。
また外鞘体及び内鞘体は何れもその断面形状が長手方向に一定としているので、押出成形品として製造されたものを必要に応じた長さに切断することで、種々の長さのものを自在に、低コストで用意できる。後は挿入口構成体と止蓋体を取り付けて固定するだけでよいので、種々の長さの鋸鞘を低コストで製作することができる。
特に、金型にて一体成形する鋸鞘の場合は、金型にコストがかかる他、寸法が変わればそれに応じて金型が必要であったが、本発明の場合には内鞘体と外鞘体との長さを調整することで各種サイズに対応した多種の鋸鞘を提供できる。
【０００７】
また請求項２に記載の鋸鞘によれば、請求項１に記載の構成による作用効に加えて、内鞘体は、その外殻の長手方向に複数本のリブを形成しており、該リブの基端面と先端面とに前記挿入口構成体と止蓋体とをそれぞれ固定するための結合用孔を形成してあるので、
前記複数本のリブにより、中空状のプラスチック製内鞘体の全体の強度を高く保持することができる。加えて、前記長手方向に設けられた複数本のリブの厚肉を利用して、その基端面と先端面とに結合用孔を設けているので、良好な取り付け強度をもって挿入口構成体と止蓋体とをそれぞれ取り付けることができる。
【０００８】
また請求項３に記載の鋸鞘によれば、請求項１又は２に記載の構成による作用効果に加えて、外鞘体は、その外殻に前記内鞘体のリブに対応する複数本のリブを形成することで、前記内鞘体を横ズレなく挿嵌できる形状としてあるので、
前記外鞘体の内孔内に前記内鞘体を正確に挿嵌し易く、挿嵌後に相互に横ブレが生じない。更に鋸鞘が二層となるので、強度が増す。また金属製の外鞘体が鋸鞘として外部からの熱や水或いは打撲等による破損を防ぎ、鞘に光沢と機能美と重厚感を醸し出すことができる。
そして外鞘体が金属製であるので表面に印刷等もできる。
【０００９】
また請求項４に記載の鋸鞘によれば、請求項１〜３の何れかに記載の構成による作用効果に加えて、挿入口構成体は、その基端側を鋸身の挿入口部とすると共に、その先端側を前記外鞘体との嵌合部とし、該嵌合部と前記挿入口部との間に段差壁を形成し、該段差壁によって前記外鞘体の基端面と当接して位置決めされるので、
前記挿入口構成体の前記嵌合部を、前記外鞘体の基端面から挿入し、前記段差壁が外鞘体の基端面に当接するまで押し込むことで、自動的に前記挿入口構成体が前記外鞘体の基端面の定位置に挿嵌され、前記内鞘体との結合に最適な位置に位置決めすることができる。
【００１０】
また請求項５に記載の鋸鞘によれば、請求項４に記載の構成による作用効果に加えて、挿入口構成体の挿入口部には、挿入口と、その一側に鋸身を前記挿入口に案内するガイド部とを形成してあるので、
鋸の収納時には、鋸身の先端付近がガイド部に沿って案内され、鋸身をスムーズに挿入口内へ入れることができる。
【００１１】
また請求項６に記載の鋸鞘によれば、請求項４又は５に記載の構成による作用効果に加えて、挿入口部の一部を肉厚部に形成し、該肉厚部に取付紐を通すための複数の紐挿通孔を形成してあるので、
挿入口部の肉厚部を利用して、その紐挿通孔に通した紐により鋸鞘を十分確実に、動かないように身体に定着させることができる。
【００１２】
また請求項７に記載の鋸鞘によれば、請求項４〜６の何れかに記載の構成による作用効果に加えて、挿入口構成体の嵌合部には、前記内鞘体のリブに対応して複数本のリブを形成し、該リブには前記内鞘体のリブの結合用孔に対応して、挿入口構成体を貫通する複数の結合用孔を形成してあるので、
外鞘体に嵌合された挿入口構成体を、内鞘体に対して、結合用孔を用いてネジやピン等を用いて確実に結合することができる。よって鋸鞘の挿入口部分を強固に構成することができる。
【００１３】
また請求項８に記載の鋸鞘によれば、請求項１〜７の何れかに記載の構成による作用効果に加えて、鋸の代わりにナイフや鉈等の刃物の収納に用いることができるので、
鋸の他、ナイフ、鉈等の鞘としても利用することができる。
【発明を実施するための最良の形態】
【００１４】
以下の図面を参照して、本発明の実施形態に係る鋸鞘について説明する。
図１は本発明の実施形態に係る鋸鞘を示す全体斜視図、図２は鋸鞘の内鞘体を示す斜視図、図３は鋸鞘の外鞘体を示す斜視図、図４は鋸鞘の挿入口構成体を示す斜視図、図５は挿入口構成体を嵌合部側から見た図、図６は本発明の鋸鞘の止蓋体を示す斜視図、図７は止蓋体を基端側から見た図である。
【００１５】
図１を参照して、本発明の実施形態に係る鋸鞘１は、鋸身を収納するための内鞘体１０と、該内鞘体１０の外周を覆う外鞘体２０と、鋸鞘の基端部を構成して鋸の挿入口となる挿入口構成体３０と、先端部を構成して止蓋となる止蓋体４０とからなり、それら内鞘体１０、外鞘体２０、挿入口構成体３０、止蓋体４０が一体的に結合されることで鋸鞘１が構成される。
【００１６】
図２を参照して、内鞘体１０は鋸身を直接的に受け入れる鞘体であり、長細い偏平状の筒として構成される。
内鞘体１０には、その外殻１１に、長手方向の基端から先端に至る複数本のリブ１１ａを形成している。本実施形態では、リブ１１ａが表裏にそれぞれ２本ずつ、４本形成されている。
内鞘体１０の各リブ１１ａには、長手方向の基端面と先端面とにそれぞれ結合用孔１３を形成している。ここで基端面とは挿入口構成体３０が結合される側の端面であり、先端面とは前記止蓋体４０が結合される側の端面である。これらのリブ１１ａの基端面と先端面は厚肉になされているので、結合用孔１３の形成に丁度よい。この結合用孔１３はネジ孔或いはピン止め孔とされる。
内鞘体１０は、その断面形状が長手方向に一定なプラスチック成形体としている。
プラスチックとしては特にその材質は限定されないが、強化プラスチックや熱硬化性樹脂を用いることができる。また内鞘体１０は、射出成形により長く製造したものを所定の長さに切断して用いることができる。
【００１７】
図３も参照して、外鞘体２０は、内鞘体１０の外側（外周）を覆って保護すると共に、鋸鞘１の主たる外観を構成する鞘体で、長細い偏平状の筒として前記内鞘体１０の長さより少し長く構成されている。
外鞘体２０には、その外殻２１の表裏に、長手方向における基端から先端に至る寸法で、前記内鞘体１０のリブ１１ａに対応するリブ２１ａが形成されている。各リブ２１ａに対応する外鞘体２０の内孔部分は凹溝状になされている。該外鞘体２０の内孔内に前記内鞘体１０が挿嵌される。挿嵌された内鞘体１０は、そのリブ１１ａが前記外鞘体２０のリブ２１ａに合着した状態となる。即ち言い換えれば、前記外鞘体２０が前記内鞘体１０の上に外挿嵌され、内鞘体１０の外側を覆う構成となる。
外鞘体２０の内孔内に挿嵌された内鞘体１０は、そのリブ１１ａで前記外鞘体２０のリブ２１ａと嵌り合うため、一定の位置に正確に位置決めされ、横方向のズレ（長手方向に直角な方向のズレ）が生じない。
外鞘体２０は金属製からなり、例えばアルミニウム合金やステンレスの耐腐食性材料を使用できる。また外鞘体２０は一定の断面形状であるから、押出し加工により形成したものを適当な長さに切断して用いることができる。
【００１８】
図４、図５を参照して、挿入口構成体３０はプラスチック製とすることができる。挿入口構成体３０は、その基端側の半部に挿入口部３１を形成し、該挿入口構成体３０の先端側の残る半部に嵌合部３２を形成している。
挿入口部３１は、その挿入口３１ａと、その一側に鋸を該挿入口３１ａに案内するガイド部３１ｂを形成して構成される。
挿入口部３１のガイド部３１ｂは、実際には前記挿入口３１ａの一側で前方に突出した突縁３１ｄの前記挿入口３１ａに面した面である。
挿入口部３１は、前記挿入口３１ａの前記ガイド部３１ｂがある一側とは反対の他側を肉厚部３１ｃに形成し、例えば山形状に膨出させて形成している。この肉厚部３１ｃには腰紐等を通せるように、２ヶ所に挿通孔３４を貫通させて設けている。
【００１９】
挿入口構成体３０の嵌合部３２は、前記外鞘体２０の基端側に差し込まれて嵌合する部分で、外鞘体２０の基端面の内孔に丁度嵌り合う断面形状をしている。
嵌合部３２は、前記内鞘体のリブ１１ａと対応する位置に同形状のリブ３２ａが形成され、該リブ３２ａには結合用孔３３が貫通して形成されている。
嵌合部３２が外鞘体２０に嵌合され、嵌合部３２の先端面が内鞘体１０の先端面に当接した際に、両リブ１１ａ、３２ａが相互に一致し、また両結合用孔１３、３３が一致して当接するようなされている。
嵌合部３２には、前記挿入口部３１との間に段差壁３２ｂが形成されている。該嵌合部３２を前記外鞘体２０の基端側から挿嵌すると、該段差壁３２ｂに前記外鞘体２０の基端面２１ｂが当接して、挿入口構成体３０の位置決めが自動的にできるように構成される。
嵌合部３２を外鞘体２０に嵌合し、結合用孔３３にネジ又はピン５０を挿通して内鞘体１０と結合することで、挿入口構成体３０の固定が完了する。
【００２０】
図６、図７を参照して、止蓋体４０は、その先端側に蓋部４１を形成し、また基端側には前記外鞘体２０に挿嵌できる嵌合縁４２を形成している。
止蓋体４０の蓋部４１には、その表裏に前記外鞘体２０のリブ２１ａに対応するリブ４１ａが、嵌合縁４２には、その表裏に前記内鞘体１０のリブ１１ａに対応するリブ４２ａが、それぞれ形成されている。また該リブ４２ａには、それぞれ結合用孔４３が貫通して形成されている。
嵌合縁４２は、その外形が外鞘体２０の先端側に丁度嵌合する形状とされており、またその端面が前記内鞘体１０の先端面形状と対応するよう形成されている。
前記嵌合縁４２には、前記蓋部４１との間に段差壁４２ｂが形成されているので、嵌合縁４２を前記外鞘体２０に挿嵌すると、前記段差壁４２ｂが前記外鞘体２０の先端面２１ｃと当接して挿着の位置決めをすることができる。そして前記リブ４２ａに設けられた前記結合用孔４３にネジ又はピン５０を挿通して前記内鞘体１０と結合することで、止蓋体４０の固定が完了する。
なお前記内鞘体１０の長手方向長さと挿入口構成体３０の嵌合部３２と止蓋体４０の嵌合縁４２との長さの合計が、前記外鞘体２０の長手方向長さと一致する。
【００２１】
上記のような構成により、本発明の鋸鞘の構成において、前記外鞘体２０の内孔内に前記内鞘体１０を挿嵌して被装し、該外鞘体２０の基端面２１ｂの内孔に前記挿入口構成体３０を挿嵌してネジ又はピン５０で前記内鞘体１０と固着し、該外鞘体２０の先端面２１ｃの内孔に前記止蓋体４０を挿嵌してネジ又はピン５０で前記内鞘体１０と固着する。これによって前記外鞘体２０が前記挿入口構成体３０と前記止蓋体４０とによって挟持状態に保持された状態で、全体が一体的に構成され、鋸鞘が完成する。
本発明の鋸鞘では、前記内鞘体１０と前記外鞘体２０の切断長さを変更するだけで、各種鋸のサイズに対応できる。
【図面の簡単な説明】
【００２２】
【図１】本発明の実施形態に係る鋸鞘を示す全体斜視図である。
【図２】鋸鞘の内鞘体を示す斜視図である。
【図３】鋸鞘の外鞘体を示す斜視図である。
【図４】鋸鞘の挿入口構成体を示す斜視図である。
【図５】挿入口構成体を嵌合部側から見た図である。
【図６】鋸鞘の止蓋体を示す斜視図である。
【図７】止蓋体を基端側から見た図である。
【符号の説明】
【００２３】
１    鋸鞘
１０    内鞘体
１１    外殻
１１ａ  リブ
１１ｂ  基端面
１１ｃ  先端面
１３    結合用孔
２０    外鞘体
２１    外殻
２１ａ  リブ
２１ｂ  基端面
２１ｃ  先端面
３０    挿入口構成体
３１    挿入口部
３１ａ  挿入口
３１ｂ  ガイド部
３１ｃ  肉厚部
３１ｄ  突縁
３２    嵌合部
３２ａ  リブ
３２ｂ  段差壁
３３    結合用孔
３４    挿通孔
４０    止蓋体
４１    蓋部
４１ａ  リブ
４２    嵌合縁
４２ａ  リブ
４２ｂ  段差壁
４３    結合用孔
５０    ネジ又はピン
【図１】
2008114442.tif 000003
【図２】
2008114442.tif 000004
【図３】
2008114442.tif 000005
【図４】
2008114442.tif 000006
【図５】
2008114442.tif 000007
【図６】
2008114442.tif 000008
【図７】
2008114442.tif 000009